(57)【要約】【課題】本発明は台座、台座をカバーする台座の蓋体、キーモジュール及び導光支持板を備えたノート型パーソナルコンピュータの発光キーボードを提供する。【解決手段】導光支持板は台座の蓋体の蓋体孔の下にあり、台座の蓋体に固定される。キーモジュールを支持してこれを蓋体孔の外部に露出させることから、ノート型パーソナルコンピュータの発光キーボードはキーボードの厚みを増すことなく、またキーモジュールの作動行程が縮小することもない。【選択図】図７
2012089100.tif 000002
【特許請求の範囲】
【請求項１】
台座と、
前記台座をカバーし蓋体孔を備えた台座の蓋体と、
前記台座の蓋体の下から前記蓋体孔に入り、前記蓋体孔の外部に露出した複数キーを備えたキーモジュールと、
前記台座と前記台座の蓋体の間にあって光線を生じる光源と、
前記台座の蓋体の前記蓋体孔の下方にあって台座の蓋体に固定され、前記光線をガイドして前記キーモジュールを貫通させると共に、前記キーモジュールを支持してこれをその上に設置する導光支持板と、
を含むことを特徴とするノート型パーソナルコンピュータの発光キーボード。
【請求項２】
さらに前記台座内に設置されて前記導光支持板の下方にあり、前記キーボードモジュールと前記光源に接続され、前記キーボードモジュールと前記光源を駆動する回路基板を備えたことを特徴とする請求項１に記載のノート型パーソナルコンピュータの発光キーボード。
【請求項３】
前記光源は前記回路基板上に設置されて前記導光支持板の支持板孔内に入り、前記光源から生じた前記光線を前記導光支持板内に投射することを特徴とする請求項２に記載のノート型パーソナルコンピュータの発光キーボード。
【請求項４】
前記光源は前記回路基板上に設置されて前記導光支持板の一側にあり、前記光源から生じた前記光線を前記導光支持板内に投射することを特徴とする請求項２に記載のノート型パーソナルコンピュータの発光キーボード。
【請求項５】
前記導光支持板と前記回路基板の間に設置され、前記導光支持板と前記回路基板を仕切ると共に、前記回路基板をその上に固定するスペーサーをさらに備えることを特徴とする請求項２に記載のノート型パーソナルコンピュータの発光キーボード。
【請求項６】
前記導光支持板は、前記導光支持板の底部に設置されて前記光線を反射して前記導光支持板と前記キーモジュールを貫通させる光反射底板を備えることを特徴とする請求項１に記載のノート型パーソナルコンピュータの発光キーボード。
【請求項７】
前記台座の蓋体は、前記キーモジュールの一端を収納して前記キーモジュールが前記台座の蓋体の前記蓋体孔内から抜け出さないようにする収納構造をさらに備えることを特徴とする請求項１に記載のノート型パーソナルコンピュータの発光キーボード。
【請求項８】
前記キーモジュールは、
フレームと、
前記フレーム上に設置された薄膜スイッチ回路と、
をさらに含み、前記キーは、
前記蓋体孔の外部に露出されたキーキャップと、
前記フレームと前記キーキャップの間にあり、前記フレームと前記キーキャップを接続すると共に、前記キーキャップを前記フレームに対向して上下移動させる鋏型接続部材と、
前記薄膜スイッチ回路と前記キーキャップの間にあり、前記キーキャップが押下されると、圧縮されて前記薄膜スイッチ回路に当接して、前記上接點と前記下接點とを接触させ、また、前記キーキャップが押下されなくなると、弾性力を前記キーキャップに提供して、前記キーキャップを元の位置に戻す弾性体と、
を含むことを特徴とする請求項１に記載のノート型パーソナルコンピュータの発光キーボード。
【請求項９】
前記フレームは透明なプラスチック素材で製作されることを特徴とする請求項８に記載のノート型パーソナルコンピュータの発光キーボード。
【請求項１０】
前記フレームは金属素材で製作されることを特徴とする請求項８に記載のノート型パーソナルコンピュータの発光キーボード。
【発明の詳細な説明】
【技術分野】
【０００１】
本発明はノート型パーソナルコンピュータのキーボードに関する。より詳しくは発光機能を備えた発光キーボードに関する。
【背景技術】
【０００２】
一般的に、コンピュータ周辺入力装置はマウス、キーボード及びトラックボール等からなり、このうちキーボードは文字や記号をコンピュータに直接キーインできることから、ユーザーや入力装置メーカーに相当重視されている。続いて、従来のキーボードの構造及び機能を説明する。図１は従来キーボードの外観構造の概略図である。従来キーボード１の表面には複数キーを備え、これらのキーは一般にキー１０、数字キー１１及びファンクションキー１２等に分類され、ユーザーが手指で押下して生じた対応する信号をコンピュータに送信し、コンピュータが押下されたキー機能を実行する。例えば、一般キー１０はアルファベット等の記号の入力用、数字キー１１は数字入力用で、Ｆ１〜Ｆ１２等のファンクションキー１２は各種機能を提供する。
【０００３】
科学技術の進歩に伴い、キーボードメーカーは異なるユーザーの様々なニーズに応えるため各種特殊機能を備えたキーボードの研究開発に力を入れており、ノート型パーソナルコンピュータの発光キーボードを例に取り説明すると、図２は従来のノート型パーソナルコンピュータの発光キーボード構造の側面の概略図であり、図３は従来の発光キーボードの局部構造の概略図である。ノート型パーソナルコンピュータ２は発光キーボード２１と上蓋２２を備え、上蓋２２は発光キーボード２１に対向して回動して発光キーボード２１をカバーし、コンピュータ画面を表示するスクリーン２２１を備える。発光キーボード２１は台座２１１、台座の蓋体２１２、キーモジュール２１３、支持板２１４、導光モジュール２１５、回路基板２１６、コンピュータハードディスク２１７及びＣＤ−ＲＯＭ２１８を備える。
【０００４】
発光キーボード２１では、回路基板２１６上に信号を受信又は発信するための制御ユニット２１６１が設けられる。回路基板２１６、コンピュータハードディスク２１７及びＣＤ−ＲＯＭ２１８は台座２１１上に設けられ、台座の蓋体２１２は台座２１１をカバーし、支持板２１４は台座の蓋体２１２に固定され、このうち、支持板２１４はアルミニウム（Ａｌ）で製作される。発光キーボード２１はさらに、支持板２１４とコンピュータハードディスク２１７（又はＣＤ−ＲＯＭ２１８）の間にあるスペーサー２１９を備え、スペーサー２１９は回路基板２１６を貫通して回路基板２１６をスペーサー２１９に固定する。スペーサー２１９はそれぞれ支持板２１４と回路基板２１６、コンピュータハードディスク２１７と回路基板２１６、及びＣＤ−ＲＯＭ２１８と回路基板２１６を仕切り、回路基板２１６を支持板２１４、コンピュータハードディスク２１７及びＣＤ−ＲＯＭ２１８と接触させない。このうち、スペーサー２１９は銅柱である。
【０００５】
台座の蓋体２１２は蓋体孔２１２１を備え、キーモジュール２１３は支持板２１４上に設けられると共に、台座の蓋体２１２の下方から蓋体孔２１２１に入って突出させて、キーモジュール２１３の複数キー２１３１を蓋体孔２１２１の外部に露出させる。キーモジュール２１３は可撓性回路基板（Ｆｌｅｘｉｂｌｅ  Ｐｒｉｎｔｅｄ  Ｃｉｒｃｕｉｔ、ＦＰＣ、図示せず)によって回路基板２１６に接続され、キーモジュール２１３は複数キー２１３１の他に、さらにフレーム２１３２と薄膜スイッチ回路２１３３を備え、フレーム２１３２は複数キー２１３１に対応する複数フレーム孔２１３２Ａを有し、金属素材で製作される。薄膜スイッチ回路２１３３はフレーム２１３２上に設けられ、キー２１３１はキーキャップ２１３１Ａ、鋏型接続部材２１３１Ｂ及び弾性体２１３１Ｃを備える。キーキャップ２１３１Ａは蓋体孔２１２１の外部に露出する。鋏型接続部材２１３１Ｂはフレーム２１３２とキーキャップ２１３１Ａの間にあり、フレーム２１３２とキーキャップ２１３１Ａを接続してキーキャップ２１３１Ａをフレーム２１３２に対向して上下に移動させる。弾性体２１３１Ｃは薄膜スイッチ回路２１３３とキーキャップ２１３１Ａの間にあり、キーキャップ２１３１Ａが押下されると、弾性体２１３１Ｃが圧縮されて薄膜スイッチ回路２１３３に当接し、薄膜スイッチ回路２１３３がキー信号を出力する。キーキャップ２１３１Ａが押下されなくなると、弾性体２１３１Ｃはキーキャップ２１３１Ａに弾性力を提供し、キーキャップ２１３１Ａを上方に移動させて元の位置に戻すが、弾性体２１３１Ｃは透光性ゴムであって光が貫通することができる。
【０００６】
導光モジュール２１５は光源２１５１と導光板孔２１５２Ａのある導光板２１５２を備え、光源２１５１が入る。光源２１５１は光線Ｂを生じ、光線Ｂは導光板２１５２内に投射され、光源２１５１は別の可撓性回路基板（図示せず）によって回路基板２１６に接続され、光源２１５１を駆動させることができ、このうち、光源２１５１は発光ダイオード（Ｌｉｇｈｔ  Ｅｍｉｔｔｅｒ  Ｄｉｏｄｅ、ＬＥＤ）である。
【０００７】
図３では、キー２１３１が押下され、フレーム２１３２に対向して下方へ移動すると、鋏型接続部材２１３１Ｂは開いた状態（図３参照）から閉じた状態となり（図示せず）、下方へ移動するキーキャップ２１３１Ａが弾性体２１３１Ｃに当接すると、弾性体２１３１Ｃが薄膜スイッチ回路２１３３に当接してキー２１３１に対応するキー信号を生じる。これに対して、キー２１３１が押下されなくなると、弾性体２１３１Ｃはキーキャップ２１３１Ａに弾性力を提供し、キーキャップ２１３１Ａをフレーム２１３２に対向して上方へ移動させ、鋏型接続部材２１３１Ｂは閉じた状態から開いた状態となって、キーキャップ２１３１Ａを元の位置に戻す。光源２１５１が光線Ｂを生じると、光線Ｂは導光板２１５２に進入し、導光板２１５２が光線Ｂの方向を変更して、光線Ｂはフレーム孔２１３２Ａを貫通して薄膜スイッチ回路２１３３に進入する。続いて、光線Ｂは順番に薄膜スイッチ回路２１３３、弾性体２１３１Ｃ及びキーキャップ２１３１Ａを貫通して、キー２１３１を発光させる。
【発明の概要】
【発明が解決しようとする課題】
【０００８】
しかしながら、前述した従来の発光キーボード２１では、従来のキーボード１内に導光モジュール２１５を付加するため、従来の発光キーボード２１の厚みが導光モジュール２１５を付加したことで厚くなり、従って、従来の発光キーボード２１を軽薄化することができないといった問題があった。従来の発光キーボード２１の厚みが増さないようにするために、キーキャップ２１３１Ａが上下移動する範囲（即ち、キーの作動行程）を縮小すると、従来の発光キーボード２１の厚みの現状維持が可能であるが、ユーザーがキー２１３１を押下した際に受ける手触りが、キーの作動行程が縮小したことで思わしくなくなる。このため、発光キーボードの厚み並びにキーを押下する手触りが思わしくない点を改善できる発光キーボードが必要となってくる。
【０００９】
本発明は、このような従来の問題に鑑みてなされたものである。上記課題解決のため、本発明は、キーボードの厚みを増すことのないノート型パーソナルコンピュータの発光キーボードを提供することを目的とする。
【００１０】
本発明はまた、キーを押下する手触りが思わしくない状況を改善することが可能なノート型パーソナルコンピュータの発光キーボードを提供することを目的とする。
【００１１】
本発明はまた、コスト低減が可能なノート型パーソナルコンピュータの発光キーボードを提供することを目的とする。
【課題を解決するための手段】
【００１２】
好ましい実施形態において、本発明によれば、台座と、台座をカバーし蓋体孔を備えた台座の蓋体と、台座の蓋体の下から蓋体孔に入り、蓋体孔の外部に露出した複数キーを備えたキーモジュールと、台座と台座の蓋体の間にあって光線を生じる光源と、台座の蓋体の蓋体孔の下方にあって台座の蓋体に固定され、光線をガイドしてキーモジュールを貫通させると共に、キーモジュールを支持してこれをその上に設置する導光支持板とを含むことを特徴とするノート型パーソナルコンピュータの発光キーボードを提供する。
【００１３】
好ましい実施形態において、本発明に係るノート型パーソナルコンピュータの発光キーボードは、さらに台座内に設置されて導光支持板の下方にあり、キーボードモジュールと光源に接続され、キーボードモジュールと光源を駆動する回路基板を備える。
【００１４】
好ましい実施形態において、光源は回路基板上に設置されて導光支持板の支持板孔内に入り、光源から生じた光線を導光支持板内に投射する。
【００１５】
好ましい実施形態において、光源は回路基板上に設置されて導光支持板の一側にあり、光源から生じた光線を導光支持板内に投射する。
【００１６】
好ましい実施形態において、本発明に係るノート型パーソナルコンピュータの発光キーボードは、導光支持板と回路基板の間に設置され、導光支持板と回路基板を仕切ると共に、回路基板をその上に固定するスペーサーをさらに備える。
【００１７】
好ましい実施形態において、導光支持板は、導光支持板の底部に設置されて光線を反射して導光支持板とキーモジュールを貫通させる光反射底板を備える。
【００１８】
好ましい実施形態において、台座の蓋体は、キーモジュールの一端を収納してキーモジュールが台座の蓋体の蓋体孔内から抜け出さないようにする収納構造をさらに備える。
【００１９】
好ましい実施形態において、キーモジュールは、フレームと、フレーム上に設置された薄膜スイッチ回路とをさらに含み、キーは、蓋体孔の外部に露出されたキーキャップと、フレームとキーキャップの間にあり、フレームとキーキャップを接続すると共に、キーキャップをフレームに対向して上下移動させる鋏型接続部材と、薄膜スイッチ回路とキーキャップの間にあり、キーキャップが押下されると、圧縮されて薄膜スイッチ回路に当接して、上接點と下接點とを接触させ、また、キーキャップが押下されなくなると、弾性力をキーキャップに提供して、キーキャップを元の位置に戻す弾性体とを含む。
【００２０】
好ましい実施形態において、フレームは透明なプラスチック素材で製作される。
【００２１】
好ましい実施形態において、フレームは金属素材で製作される。
【図面の簡単な説明】
【００２２】
【図１】従来のキーボードの外観構造の概略図である。
【図２】従来のノート型パーソナルコンピュータの発光キーボード構造の側面の概略図である。
【図３】従来の発光キーボードの局部構造の概略図である。
【図４】本発明に係るノート型パーソナルコンピュータの発光キーボードの第１の好ましい実施形態における構造の側面の概略図である。
【図５】本発明に係る発光キーボードの第１の好ましい実施形態における局部構造の概略図である。
【図６】本発明に係るノート型パーソナルコンピュータの発光キーボードの第２の好ましい実施形態における構造の側面概略図である。
【図７】本発明に係る発光キーボードの第２の好ましい実施形態における局部構造の概略図である。
【発明を実施するための形態】
【００２３】
以下、本発明を実施するための形態について、図面に基づいて詳細に説明する。なお、本発明は、以下に説明する実施形態に限定されるものではない。従来の技術の欠陥に鑑みて、本発明では発光キーボードを提供する。
【実施例１】
【００２４】
先ずノート型パーソナルコンピュータの発光キーボードを例にとり説明すると、図４は本発明に係るノート型パーソナルコンピュータの発光キーボードの第１の好ましい実施形態における構造の側面の概略図であり、図５は本発明に係る発光キーボードの第１の好ましい実施形態における局部構造の概略図である。ノート型パーソナルコンピュータ３は発光キーボード３１及び上蓋３２を備え、上蓋３２は発光キーボード３１に対向して回動し、発光キーボード３１をカバーし、また、上蓋３２はコンピュータ画面を表示するスクリーン３２１を備える。発光キーボード３１は台座３１１、台座の蓋体３１２、キーモジュール３１３、台座３１１と台座の蓋体３１２の間にある光源３１４、導光支持板（Ｌｉｇｈｔ  Ｇｕｉｄｅ  Ｓｕｐｐｏｒｔ  Ｐｌａｔｅ）３１５、回路基板３１６、コンピュータハードディスク３１７及びＣＤ−ＲＯＭ３１８を備える。
【００２５】
図５では、回路基板３１６上に信号を受信又は発信するための制御ユニット３１６１が設けられる。回路基板３１６、コンピュータハードディスク３１７及びＣＤ−ＲＯＭ３１８は台座３１１内に設けられるが、コンピュータハードディスク３１７とＣＤ−ＲＯＭ３１８はノート型パーソナルコンピュータ３の範疇に属し、発光キーボード３１の重点ではないので、これ以上詳述しない。回路基板３１６については、導光支持板３１５の下方にあってキーボードモジュール３１３と光源３１４に接続され、キーボードモジュール３１３と光源３１４を駆動する。本好ましい実施形態では、キーモジュール３１３は可撓性回路基板（図示せず）によって回路基板３１６に接続され、光源３１４は回路基板３１６上に直接設けられる。発光キーボード３１はさらに、導光支持板３１５とコンピュータハードディスク３１７（又はＣＤ−ＲＯＭ３１８）の間にあるスペーサー３１９を備え、スペーサー３１９は回路基板３１６を貫通して、回路基板３１６をスペーサー３１９に固定する。スペーサー３１９はそれぞれ導光支持板３１５と回路基板３１６、コンピュータハードディスク３１７と回路基板３１６、及びＣＤ−ＲＯＭ３１８と回路基板３１６を仕切り、回路基板３１６を導光支持板３１５、コンピュータハードディスク３１７及びＣＤ−ＲＯＭ３１８と接触させないようにするが、このうちスペーサー３１９は銅柱である。光源３１４は光線Ｂ’を生じ、本好ましい実施形態では、光源３１４は発光ダイオードである。
【００２６】
台座の蓋体３１２は台座３１１をカバーして蓋体孔３１２１を備える。導光支持板３１５は台座の蓋体３１２の蓋体孔３１２１下方にあって台座の蓋体３１２に固定され、光源３１４から生じた光線Ｂ’をガイドしてキーモジュール３１３を貫通させると共に、キーモジュール３１３を支持してこれを導光支持板３１５上に設ける。導光支持板３１５は透明素材で製作されて光を通して支持板孔３１５１と光反射底板３１５２を備え、支持板孔３１５１は、光源３１４から生じた光線Ｂ’が導光支持板３１５内に投射されて導光支持板３１５にガイドされるように、回路基板３１６上に設けられた光源３１４が導光支持板３１５の下方から入るためのものである。光反射底板３１５２は導光支持板３１５の底部に設けられ、光線Ｂ’を反射して導光支持板３１５とキーモジュール３１３を貫通させる。上記より、キーモジュール３１３は導光支持板３１５上に設けられると共に、台座の蓋体３１２の下方から蓋体孔３１２１に入って突出させて、キーモジュール３１３の複数キー３１３１を蓋体孔３１２１の外部に露出させることが分かる。
【００２７】
キーモジュール３１３は複数キー３１３１の他にさらにフレーム３１３２と薄膜スイッチ回路３１３３を備える。フレーム３１３２は複数キー３１３１に対応する複数フレーム孔３１３２Ａを備え、金属素材で製作される。薄膜スイッチ回路３１３３はフレーム３１３２上に設けられ、キー３１３１はキーキャップ３１３１Ａ、鋏型接続部材３１３１Ｂ及び弾性体３１３１Ｃを備える。キーキャップ３１３１Ａは蓋体孔３１２１の外部に露出させる。鋏型接続部材３１３１Ｂはフレーム３１３２とキーキャップ３１３１Ａの間にあり、フレーム３１３２とキーキャップ３１３１Ａを接続してキーキャップ３１３１Ａをフレーム３１３２に対向して上下に移動させる。弾性体３１３１Ｃは薄膜スイッチ回路３１３３とキーキャップ３１３１Ａの間にあり、キーキャップ３１３１Ａが押下されると、弾性体３１３１Ｃは圧縮されて薄膜スイッチ回路３１３３に当接して、薄膜スイッチ回路３１３３がキー信号を出力する。これに対して、キーキャップ３１３１Ａが押下されなくなると、弾性体３１３１Ｃがキーキャップ３１３１Ａに弾性力を提供し、キーキャップ３１３１Ａを上方に移動させて元の位置に戻すが、このうち、弾性体３１３１Ｃは透光性のゴムであって光が貫通することができる。また、台座の蓋体３１２はさらに、キーモジュール３１３の一端（即ち、フレーム３１３２の一端）を収納して、キーモジュール３１３が台座の蓋体３１２の蓋体孔３１２１内から抜け出ないようにするための収納構造３１２を備える。
【００２８】
図５では、キー３１３１が押下されてフレーム３１３２に対向して下方へ移動すると、鋏型接続部材３１３１Ｂは開いた状態（図５参照）から閉じた状態となり（図示せず）、下方へ移動するキーキャップ３１３１Ａが弾性体３１３１Ｃに当接し、弾性体３１３１Ｃが薄膜スイッチ回路３１３３に当接して、キー３１３１に対応するキー信号を生じる。キー３１３１が押下されなくなると、弾性体３１３１Ｃがキーキャップ３１３１Ａに弾性力を提供し、キーキャップ３１３１Ａがフレーム３１３２に対向して上方へ移動し、鋏型接続部材３１３１Ｂが閉じた状態から開いた状態となって、キーキャップ３１３１Ａを元の位置に戻す。光源３１４が光線Ｂ’を生じると、光線Ｂ’は導光支持板３１５に進入し、導光支持板３１５が光線Ｂ’の方向を変更して、光線Ｂ’がフレーム孔３１３２Ａを貫通して薄膜スイッチ回路３１３３に進入する。続いて、光線Ｂ’は順番に薄膜スイッチ回路３１３３、弾性体３１３１Ｃ及びキーキャップ３１３１Ａを貫通して、キー３１３１を発光させる。
【００２９】
上記により、本発明に係るノート型パーソナルコンピュータの発光キーボードでは、導光支持板が従来の台座内の支持板と導光板に取って代わり、導光支持板がキーモジュールと導光を支持する機能を同時に備え、しかも導光支持板の厚みは従来の導光板の厚みより大きく、その導光効率は従来の導光板より優れていることが分かる。導光支持板の厚みは従来の導光板の厚みより大きいものの、その厚みは従来の導光板に従来の支持板を加えた厚みより小さいことから、本発明に係る発光キーボードにはキーボードの厚みが増す問題がない。さらに本発明に係る発光キーボードの厚みが増さないので、本発明に係る発光キーボードは当然ながらキーの作動行程を縮小する必要は無く、また、キーを押下する手触りが思わしくない問題もない。
【実施例２】
【００３０】
また、本発明に係るノート型パーソナルコンピュータの発光キーボードはさらに第２好ましい実施形態を提供する。図６は本発明ノート型パーソナルコンピュータの発光キーボードの第２の好ましい実施形態における構造の側面概略図であり、図７は本発明に係る発光キーボードの第２の好ましい実施形態における局部構造の概略図である。ノート型パーソナルコンピュータ４は発光キーボード４１と上蓋４２を備え、上蓋４２は発光キーボード４１に対向して回動して発光キーボード４１をカバーし、上蓋４２はコンピュータ画面を表示するスクリーン４２１を備える。発光キーボード４１は台座４１１、台座の蓋体４１２、キーモジュール４１３、台座４１１と台座の蓋体４１２間にある光源４１４、導光支持板４１５、回路基板４１６、コンピュータハードディスク４１７及びＣＤ−ＲＯＭ４１８を備える。
【００３１】
図７では、回路基板４１６上に信号を受信又は発信するための制御ユニット４１６１が設けられる。回路基板４１６、コンピュータハードディスク４１７及びＣＤ−ＲＯＭ４１８は台座４１１内にに設けられる。回路基板４１６は導光支持板４１５の下方にあって、キーボードモジュール４１３と光源４１４に接続されて、キーボードモジュール４１３と光源４１４を駆動する。本好ましい実施形態では、キーモジュール４１３は可撓性回路基板（図示せず）によって回路基板４１６に接続され、光源４１４は直接回路基板４１６上に設けられて導光支持板４１５の一側にある。発光キーボード４１さらに導光支持板４１５とコンピュータハードディスク４１７（又はＣＤ−ＲＯＭ４１８）の間にあるスペーサー４１９を備え、スペーサー４１９は回路基板４１６を貫通してこれをスペーサー４１９上に固定する。スペーサー４１９はそれぞれ導光支持板４１５と回路基板４１６、コンピュータハードディスク４１７と回路基板４１６、及びＣＤ−ＲＯＭ４１８と回路基板４１６を仕切り、回路基板４１６は導光支持板４１５、コンピュータハードディスク４１７及びＣＤ−ＲＯＭ４１８と接触させないが、このうち、スペーサー４１９は銅柱である。光源４１４は光線Ｂ＊を生じ、本好ましい実施形態では、光源４１４は発光ダイオードである。
【００３２】
台座の蓋体４１２は台座４１１をカバーし、台座の蓋体４１２は蓋体孔４１２１を備える。導光支持板４１５は台座の蓋体４１２の蓋体孔４１２１の下方にあり、台座の蓋体４１２に固定され、光源４１４から生じた光線Ｂ’をガイドしてキーモジュール４１３を貫通させ、キーモジュール４１３を支持してこれを導光支持板４１５上に設ける。導光支持板４１５は透明な素材で製作されて光を通して光反射底板４１５１を備え、光反射底板４１５２は導光支持板４１５の底部に設けられ、光線Ｂ＊を反射して導光支持板４１５とキーモジュール４１３を貫通させる。上記により、キーモジュール４１３は導光支持板４１５上に設けられ、台座の蓋体４１２の下方から蓋体孔４１２１に突出させて、キーモジュール４１３の複数キー４１３１を蓋体孔４１２１の外部に露出させることが分かる。
【００３３】
キーモジュール４１３は複数キー３４３１の他にさらにフレーム４１３２と薄膜スイッチ回路４１３３を備える。フレーム４１３２は透明な素材で製作されるため、光線Ｂ＊はフレーム４１３２に遮られずに直接フレーム４１３２を貫通することができる。薄膜スイッチ回路４１３３はフレーム４１３２上に設けられ、キー４１３１はキーキャップ４１３１Ａ、鋏型接続部材４１３１Ｂ及び弾性体４１３１Ｃを備える。キーキャップ４１３１Ａは蓋体孔４１２１の外部に露出する。鋏型接続部材４１３１Ｂはフレーム４１３２とキーキャップ４１３１Ａの間にあり、フレーム４１３２とキーキャップ４１３１Ａを接続してキーキャップ４１３１Ａをフレーム４１３２に対向して上下に移動させる。弾性体４１３１Ｃは薄膜スイッチ回路４１３３とキーキャップ４１３１Ａの間にあり、キーキャップ４１３１Ａが押下されると、弾性体４１３１Ｃは圧縮されて薄膜スイッチ回路４１３３に当接して、薄膜スイッチ回路４１３３がキー信号を出力する。これに対して、キーキャップ４１３１Ａが押下されなくなると、弾性体４１３１Ｃがキーキャップ４１３１Ａに弾性力を提供し、キーキャップ４１３１Ａが上方に移動して元の位置に戻すが、このうち、弾性体４１３１Ｃは透光性のゴムであって光が貫通することができる。また、台座の蓋体４１２はさらに、キーモジュール４１３の一端（即ち、フレーム４１３２の一端）を収納して、キーモジュール４１３が台座の蓋体４１２の蓋体孔４１２１内から抜け出ないようにするための収納構造４１２を備える。
【００３４】
本好ましい実施形態では、キー４１３１が押下される作動状況と第１の好ましい実施形態とは全く同じであることから、これ以上詳述しない。光源４１４が光線Ｂ＊を生じる作動状況は第１の好ましい実施形態とほぼ同じであり、異なる箇所は導光支持板４１５の一側の光源４１４が光線Ｂ＊を生じると、光線Ｂ＊が導光支持板４１５の側辺からその中に進入し、導光支持板４１５が光線Ｂ＊の方向を変更し、光線Ｂ＊を薄膜スイッチ回路４１３３に進入させることにあるのみである。光線Ｂ＊のその後の進行ルートは第１の好ましい実施形態と全く同じであることから、これ以上説明しない。
【００３５】
特に説明が必要なことは２点あり、まず、本好ましい実施形態におけるフレームは光を通すことが可能であることから、光線貫通用のフレーム孔を余計に設ける必要が無い。次に、本好ましい実施形態における光源は導光支持板の一側に設けられることから、導光支持板は光源貫通用の支持板孔を余計に設ける必要が無い。光源は導光支持板内に入らないので、光源は体積が大きめの発光ダイオードの採用が可能であり、又、体積が大きめの発光ダイオードはコストが低いことから、発光キーボードのコストの低減が可能である。
【００３６】
前記各好ましい実施形態により、本発明に係るノート型パーソナルコンピュータの発光キーボードは導光支持板によって従来の台座内の支持板と光板に取って代わり、本発明に係るノート型パーソナルコンピュータの発光キーボードは従来の発光キーボードより優れた導光効率を有するほかに、さらに併せてキーボードの厚みの増加並びにキーを押下する手触りが思わしくない問題を改善することができることが分かる。従って、本発明に係るノート型パーソナルコンピュータの発光キーボードは確かに従来の発光キーボードの欠点の改善が可能である。
【００３７】
上述の実施例は本発明の技術思想及び特徴を説明するためのものにすぎず、当該技術分野を熟知する者に本発明の内容を理解させると共にこれをもって実施させることを目的とし、本発明の特許範囲を限定するものではない。従って、本発明の精神を逸脱せずに行う各種の同様の効果をもつ改良又は変更は、後述の請求項に含まれるものとする。
【符号の説明】
【００３８】
１、２１、３１、４１  キーボード
２、３、４  ノート型パーソナルコンピュータ
１０  一般キー
１１  数字キー
１２  ファンクションキー
２２、３２、４２  上蓋
２１１、３１１、４１１  台座
２１２、３１２、４１２  台座の蓋体
２１３、３１３、４１３  キーモジュール
２１４  支持板
２１５  導光モジュール
２１６、３１６、４１６  回路基板
２１７、３１７、４１７  コンピュータハードディスク
２１８、３１８、４１８  ＣＤ−ＲＯＭ
２１９、３１９、４１９  スペーサー
２２１、３２１、４２１  スクリーン
３１４、４１４、２１５１  光源
３１５、４１５  導光支持板
２１２１、３１２１、４１２１  蓋体孔
２１３１、３１３１、４１３１  キー
２１３２、３１３２、４１３２  フレーム
２１３３、３１３３、４１３３  薄膜スイッチ回路
２１５２  導光板
２１６１、３１６１、４１６１  制御ユニット
３１２２、４１２２  収納構造
３１５１  支持板孔
３１５２、４１５１  光反射底板
２１３１Ａ、３１３１Ａ、４１３１Ａ  キーキャップ
２１３１Ｂ、３１３１Ｂ、４１３１Ｂ  鋏型連接部材
２１３１Ｃ、３１３１Ｃ、４１３１Ｃ  弾性体
２１３２Ａ、３１３２Ａ  フレーム孔
２１５２Ａ  導光板孔
Ｂ、Ｂ’、Ｂ＊  光線
【図１】
2012089100.tif 000003
【図２】
2012089100.tif 000004
【図３】
2012089100.tif 000005
【図４】
2012089100.tif 000006
【図５】
2012089100.tif 000007
【図６】
2012089100.tif 000008
【図７】
2012089100.tif 000009